(57)【要約】【課題】船体、船尾付加物、及びプロペラの全体最適化を実現する伴流場設計方法、伴流場設計システム、及び伴流場を考慮した船舶を提供すること。【解決手段】船舶の船尾に生ずる伴流場の設計方法であって、船体、船尾付加物、及びプロペラの少なくとも一つに対する伴流場を、予め構築した船型と伴流場をリンクさせた船型・伴流場データベースに基づいて解析し、船尾付加物、及びプロペラの少なくとも一つに適した伴流場の設計を行う。【選択図】図７
2019200752.tif 000002
【特許請求の範囲】
【請求項１】
船舶の船尾に生ずる伴流場の設計方法であって、船体、船尾付加物、及びプロペラの少なくとも一つに対する伴流場を、予め構築した船型と伴流場をリンクさせた船型・伴流場データベースに基づいて解析し、前記船尾付加物、及び前記プロペラの少なくとも一つに適した前記伴流場の設計を行うことを特徴とする伴流場設計方法。
【請求項２】
前記伴流場の設計は、目標とする前記伴流場に近い船型データの選定を前記船型・伴流場データベースに基づいて行い、目標とする前記伴流場が得られる船型を生成することを特徴とする請求項１に記載の伴流場設計方法。
【請求項３】
目標とする前記伴流場に近い前記船型データを複数選定し、平均化して目標とする前記伴流場が得られる前記船型を生成することを特徴とする請求項２に記載の伴流場設計方法。
【請求項４】
目標とする前記伴流場を得られる前記船型を生成した後、前記船尾付加物、及び前記プロペラの少なくとも一つの設計を行うことを特徴とする請求項２又は請求項３に記載の伴流場設計方法。
【請求項５】
前記船型・伴流場データベースに基づいて、前記船尾付加物、及び前記プロペラの少なくとも一つに適した最適伴流場データベースを構築し、前記最適伴流場データベースを利用し前記船体の制約条件を考慮した上、前記船尾付加物、及び前記プロペラの少なくとも一つに適した前記伴流場を選定することを特徴とする請求項１に記載の伴流場設計方法。
【請求項６】
前記船体の制約条件を考慮した前記船型を生成することを特徴とする請求項５に記載の伴流場設計方法。
【請求項７】
前記船体の制約条件を設定し、前記船型・伴流場データベースに基づいて前記制約条件に対する前記伴流場の統計的解析を行い、前記制約条件の下での伴流場統計データを得ることを特徴とする請求項１に記載の伴流場設計方法。
【請求項８】
前記伴流場統計データを基に、前記制約条件の下での前記船尾付加物、及び前記プロペラの少なくとも一つの最適な設計を行うことを特徴とする請求項７に記載の伴流場設計方法。
【請求項９】
前記船型・伴流場データベースにおける前記伴流場は、前記船型が変わっても流れの変化の少ない節を有した流場であることを特徴とする請求項１から請求項８のいずれか１項に記載の伴流場設計方法。
【請求項１０】
船舶の船尾に生ずる伴流場の設計システムであって、船体、船尾付加物、及びプロペラの少なくとも一つに対する条件を入力する条件入力手段と、船型と伴流場をリンクさせたデータを記憶した船型・伴流場データベース手段と、入力した前記条件に対して前記船型・伴流場データベース手段の前記データに基づいて前記伴流場を解析する伴流場解析手段と、前記伴流場の解析結果に基づいて前記伴流場の設計を行う伴流場設計手段と、前記伴流場の設計結果を出力する伴流場出力手段とを備えたことを特徴とする伴流場設計システム。
【請求項１１】
前記伴流場解析手段が、目標とする前記伴流場に近い船型データの選定を前記船型・伴流場データベース手段に基づいて行い、選定した前記船型データに従って、前記伴流場設計手段が、目標とする前記伴流場が得られる船型を生成することを特徴とする請求項１０に記載の伴流場設計システム。
【請求項１２】
前記伴流場設計手段における前記伴流場の設計は、目標とする前記伴流場に近い複数の前記船型データを、平均化して目標とする前記伴流場が得られる前記船型を生成することを特徴とする請求項１１に記載の伴流場設計システム。
【請求項１３】
前記伴流場設計手段における前記伴流場の設計は、目標とする前記伴流場が得られる前記船型を生成した後、前記船尾付加物、及び前記プロペラの少なくとも一つの設計を行うことを特徴とする請求項１１又は請求項１２に記載の伴流場設計システム。
【請求項１４】
請求項１から請求項９のいずれか１項に記載の伴流場設計方法を用いた伴流場を考慮した船舶であって、前記伴流場の設計を行った前記船尾付加物、及び前記プロペラの少なくとも一つを装備したことを特徴とする伴流場を考慮した船舶。
【請求項１５】
前記船尾付加物としてダクトを用い、前記伴流場の流れの前記ダクトに対する流入角の変動幅を２５°以下にしたことを特徴とする請求項１４に記載の伴流場を考慮した船舶。
【請求項１６】
前記流入角を２５°以下とする範囲は、少なくとも前記ダクトの縦方向中心線の上部交点０°から９０°の範囲内としたことを特徴とする請求項１５に記載の伴流場を考慮した船舶。
【請求項１７】
前記船尾付加物としてダクトを用い、前記伴流場に対応する前記ダクトの開き角を−３°以上１４°以下としたことを特徴とする請求項１４から請求項１６のいずれか１項に記載の伴流場を考慮した船舶。
【請求項１８】
前記プロペラは、プロペラ面に対する前記伴流場の流れの周方向分布の変動率を０．４以下に抑えたことを特徴とする請求項１４から請求項１７のいずれか１項に記載の伴流場を考慮した船舶。
【請求項１９】
前記伴流場の流れの周方向分布の変動率を０．４以下に抑える範囲は、前記プロペラの半径の６０％以上１００％以下の位置としたことを特徴とする請求項１８に記載の伴流場を考慮した船舶。
【請求項２０】
前記船体のＳ.Ｓ.２．０付近の船底部を肥大させ前記伴流場の改善を図ったことを特徴とする請求項１４から請求項１９のいずれか１項に記載の伴流場を考慮した船舶。
【発明の詳細な説明】
【技術分野】
【０００１】
本発明は、伴流場設計方法、伴流場設計システム、及び伴流場を考慮した船舶に関する。
【背景技術】
【０００２】
従来、船型が誘起する船尾伴流分布（船舶の船尾に生ずる伴流場）の設計は、熟練技術者の経験則に基づく試行錯誤でのみ実施できる困難なものであったため、図２４に示すように、船尾付加物とプロペラは、船体に対して従属的に設計されていた。そのため、船尾付加物とプロペラに適した船体が設計されず、船体・プロペラ・省エネ付加物の相互干渉を踏まえた全体最適化は行われていなかった。
【０００３】
ところで、特許文献１には、流体に浮かぶ船舶の形状を示す設計データを生成する船舶デザインプログラムと、設計データを格子データにデータ変換する計算格子作成ツールと、条件を生成する計算条件設定プログラムと、格子データとその条件とに基づいて船舶が航行中の流体の流場を模擬的に導出する流場計算プログラムと、流場に基づいて流体が船舶に作用する流体力学的性能を導出する船舶性能評価プログラムと、流体力学的性能を表示装置に表示する可視化ツールとを具備した船舶設計装置が開示されている。
また、特許文献２には、船体まわりの二重模型流れの計算によって求めた圧力係数の変化量の船首部および船尾部における積分値より得られる船型の流場特性を示すパラメ−タと、船尾の二次流れによる抵抗増加を表すパラメ−タおよび船型の幾何形状パラメ−タを用いて、形状影響係数推定の回帰式を作成し、該推定回帰式により粘性抵抗を推定する肥大船の粘性抵抗推定法が開示されている。
また、特許文献３には、船舶の船尾部に下降流をせき止めて整流するための船尾フィンを設け、船尾フィンの存在下にてプロペラ前方の船尾ダクト設置位置における作動流場を計測又は解析し、作動流場にて最も動力削減効果が高くなる船尾ダクトを設計して設け、船尾フィン及び船尾ダクトの存在下にて舵の左右両側に設けるラダーフィン設置位置における作動流場を計測又は解析し、作動流場にて最も動力削減効果が高くなるようラダーフィンを設計して設ける船尾部構造の設計方法が開示されている。
【先行技術文献】
【特許文献】
【０００４】
【特許文献１】特開２００４−９８５８号公報
【特許文献２】特開２００１−１３８９８１号公報
【特許文献３】特開２００６−３４７２８５号公報
【発明の概要】
【発明が解決しようとする課題】
【０００５】
船尾伴流の分布形状は、省エネ付加物の効果の向上、及びプロペラ効率の向上やキャビテーションの低減に深く関連するが、船体、船尾付加物、及びプロペラの全体最適化を実現する手法は今まで提案されていない。
特許文献１には、他の船舶が航行中の流体の圧力と流速とを示す他の流場を模擬的に導出する流場計算プログラムが記載されているが、船体、船尾付加物、及びプロペラの全体最適化を実現するものではない。
また、特許文献２には、満載状態の形状影響係数（１＋Ｋ）の５８隻の水槽試験での計測結果をデータベースにして、推定回帰式を作成する旨が記載されているが、船体、船尾付加物、及びプロペラの全体最適化を実現するものではない。
また、特許文献３には、船尾ダクトやラダーフィンは船体に従属的に設計されるため、省エネ付加物に適した船体が設計されない。すなわち、船体、船尾付加物、及びプロペラの全体最適化を実現するものではない。
【０００６】
そこで本発明は、船体、船尾付加物、及びプロペラの全体最適化を実現する伴流場設計方法、伴流場設計システム、及び伴流場を考慮した船舶を提供することを目的とする。
【課題を解決するための手段】
【０００７】
請求項１記載に対応した伴流場設計方法においては、船舶の船尾に生ずる伴流場の設計方法であって、船体、船尾付加物、及びプロペラの少なくとも一つに対する伴流場を、予め構築した船型と伴流場をリンクさせた船型・伴流場データベースに基づいて解析し、船尾付加物、及びプロペラの少なくとも一つに適した伴流場の設計を行うことを特徴とする。
請求項１に記載の本発明によれば、船体（船型）と伴流場の対応付けが容易となり、船尾付加物とプロペラに適した船体を設計することができ、船体、船尾付加物、及びプロペラの全体最適化が実現する。
【０００８】
請求項２記載の本発明は、伴流場の設計は、目標とする伴流場に近い船型データの選定を船型・伴流場データベースに基づいて行い、目標とする伴流場が得られる船型を生成することを特徴とする。
請求項２に記載の本発明によれば、簡便に船尾付加物とプロペラに適した船型を設計することができる。
【０００９】
請求項３記載の本発明は、目標とする伴流場に近い船型データを複数選定し、平均化して目標とする伴流場が得られる船型を生成することを特徴とする。
請求項３に記載の本発明によれば、より効率的に、また的確に船尾付加物とプロペラに適した船型を設計することができる。
【００１０】
請求項４記載の本発明は、目標とする伴流場を得られる船型を生成した後、船尾付加物、及びプロペラの少なくとも一つの設計を行うことを特徴とする。
請求項４に記載の本発明によれば、船型を生成した後、船尾付加物、及びプロペラの詳細設計を行なうことが可能となり、船体、船尾付加物、及びプロペラの全体最適化をより精度よく行うことができる。
【００１１】
請求項５記載の本発明は、船型・伴流場データベースに基づいて、船尾付加物、及びプロペラの少なくとも一つに適した最適伴流場データベースを構築し、最適伴流場データベースを利用し船体の制約条件を考慮した上、船尾付加物、及びプロペラの少なくとも一つに適した伴流場を選定することを特徴とする。
請求項５に記載の本発明によれば、最適伴流場データベースを利用し船体の制約条件に合わせて船尾付加物、及びプロペラの目標とする最適な伴流場を得ることができる。
【００１２】
請求項６記載の本発明は、船体の制約条件を考慮した船型を生成することを特徴とする。
請求項６に記載の本発明によれば、船尾付加物、及びプロペラに適した伴流場を実現する船型を船体の制約条件を考慮したうえ生成できるので、船体、船尾付加物、及びプロペラの全体最適化をより精度よく行うことができる。
【００１３】
請求項７記載の本発明は、船体の制約条件を設定し、船型・伴流場データベースに基づいて制約条件に対する伴流場の統計的解析を行い、制約条件の下での伴流場統計データを得ることを特徴とする。
請求項７に記載の本発明によれば、船型情報が不明な場合や、伴流場の推定が行えない場合であっても、一定の制約条件下のどの船舶に対しても一般に最適な効果がある船尾付加物やプロペラの設計が可能となる。例えば、船体の詳細な設計情報が不明な既存船や流場解析が予算の関係で行なえない新造船等への伴流場の推定を通じた最適な船尾付加物やプロペラの設計が可能となる。
【００１４】
請求項８記載の本発明は、伴流場統計データを基に、制約条件の下での船尾付加物、及びプロペラの少なくとも一つの最適な設計を行うことを特徴とする。
請求項８に記載の本発明によれば、船型情報が不明な場合や、伴流場の推定が行えない場合であっても、伴流場統計データを基に、一定の制約条件下のどの船舶に対しても一般に最適な効果がある船尾付加物やプロペラを設計することができる。
【００１５】
請求項９記載の本発明は、船型・伴流場データベースにおける伴流場は、船型が変わっても流れの変化の少ない節を有した流場であることを特徴とする。
請求項９に記載の本発明によれば、節を有した流場を用いて、船体、船尾付加物、及びプロペラの全体最適化を行うことができる。例えば、流れの変化の少ない節に船尾付加物、及びプロペラを臨ませて、性能の向上を図ることができる。
【００１６】
請求項１０記載に対応した伴流場設計システムにおいては、船舶の船尾に生ずる伴流場の設計システムであって、船体、船尾付加物、及びプロペラの少なくとも一つに対する条件を入力する条件入力手段と、船型と伴流場をリンクさせたデータを記憶した船型・伴流場データベース手段と、入力した条件に対して船型・伴流場データベース手段のデータに基づいて伴流場を解析する伴流場解析手段と、伴流場の解析結果に基づいて伴流場の設計を行う伴流場設計手段と、伴流場の設計結果を出力する伴流場出力手段とを備えたことを特徴とする。
請求項１０に記載の本発明によれば、船体（船型）と伴流場の対応付けが容易となり、船尾付加物とプロペラに適した船体を設計することができ、船体、船尾付加物、及びプロペラの全体最適化が実現する。
【００１７】
請求項１１記載の本発明は、伴流場解析手段が、目標とする伴流場に近い船型データの選定を船型・伴流場データベース手段に基づいて行い、選定した船型データに従って、伴流場設計手段が、目標とする伴流場が得られる船型を生成することを特徴とする。
請求項１１に記載の本発明によれば、簡便に船尾付加物とプロペラに適した船型を設計することができる。
【００１８】
請求項１２記載の本発明は、伴流場設計手段における伴流場の設計は、目標とする伴流場に近い複数の船型データを、平均化して目標とする伴流場が得られる船型を生成することを特徴とする。
請求項１２に記載の本発明によれば、より効率的に、また的確に船尾付加物とプロペラに適した船型を設計することができる。
【００１９】
請求項１３記載の本発明は、伴流場設計手段における伴流場の設計は、目標とする伴流場が得られる船型を生成した後、船尾付加物、及びプロペラの少なくとも一つの設計を行うことを特徴とする。
請求項１３に記載の本発明によれば、船型を生成した後、船尾付加物、及びプロペラの詳細設計を行なうことが可能となり、船体、船尾付加物、及びプロペラの全体最適化をより精度よく行うことができる。
【００２０】
請求項１４記載に対応した伴流場を考慮した船舶においては、伴流場設計方法を用いた伴流場を考慮した船舶であって、伴流場の設計を行った船尾付加物、及びプロペラの少なくとも一つを装備したことを特徴とする。
請求項１４に記載の本発明によれば、船体、船尾付加物、及びプロペラの全体最適化を実現した船舶を提供することができる。
【００２１】
請求項１５記載の本発明は、船尾付加物としてダクトを用い、伴流場の流れのダクトに対する流入角の変動幅を２５°以下にしたことを特徴とする。
請求項１５に記載の本発明によれば、伴流場を考慮してダクトによる省エネ効果をより一層高めることができる。
【００２２】
請求項１６記載の本発明は、流入角を２５°以下とする範囲は、少なくともダクトの縦方向中心線の上部交点０°から９０°の範囲内としたことを特徴とする。
請求項１６に記載の本発明によれば、伴流場として効果の大きな流入角の範囲にダクトを臨ませることができ、ダクトによる省エネ効果を効率的に高めることができる。
【００２３】
請求項１７記載の本発明は、船尾付加物としてダクトを用い、伴流場に対応するダクトの開き角を−３°以上１４°以下としたことを特徴とする。
請求項１７に記載の本発明によれば、伴流場として効果の大きな開き角の範囲にダクトを臨ませることができ、ダクトによる省エネ効果をより一層高めることができる。
【００２４】
請求項１８記載の本発明は、プロペラは、プロペラ面に対する伴流場の流れの周方向分布の変動率を０．４以下に抑えたことを特徴とする。
請求項１８に記載の本発明によれば、伴流場を考慮してプロペラ効率をより一層高めることができる。
【００２５】
請求項１９記載の本発明は、伴流場の流れの周方向分布の変動率を０．４以下に抑える範囲は、プロペラの半径の６０％以上１００％以下の位置としたことを特徴とする。
請求項１９に記載の本発明によれば、プロペラとして効果の大きい範囲の変動率を押さえられるため、効率的にプロペラ効率を高めることができる。
【００２６】
請求項２０記載の本発明は、船体のＳ.Ｓ.２．０付近の船底部を肥大させ伴流場の改善を図ったことを特徴とする。
請求項２０に記載の本発明によれば、船尾縦渦を強め、その中心をプロペラ軸芯と同等の高さに下げることができ、伴流場の改善が図れる。
【発明の効果】
【００２７】
本発明の伴流場設計方法によれば、船体（船型）と伴流場の対応付けが容易となり、船尾付加物とプロペラに適した船体を設計することができ、船体、船尾付加物、及びプロペラの全体最適化が実現する。
【００２８】
また、伴流場の設計は、目標とする伴流場に近い船型データの選定を船型・伴流場データベースに基づいて行い、目標とする伴流場が得られる船型を生成する場合には、簡便に船尾付加物とプロペラに適した船型を設計することができる。
【００２９】
また、目標とする伴流場に近い船型データを複数選定し、平均化して目標とする伴流場が得られる船型を生成する場合には、より効率的に、また的確に船尾付加物とプロペラに適した船型を設計することができる。
【００３０】
また、目標とする伴流場を得られる船型を生成した後、船尾付加物、及びプロペラの少なくとも一つの設計を行う場合には、船型を生成した後、船尾付加物、及びプロペラの詳細設計を行なうことが可能となり、船体、船尾付加物、及びプロペラの全体最適化をより精度よく行うことができる。
【００３１】
また、船型・伴流場データベースに基づいて、船尾付加物、及びプロペラの少なくとも一つに適した最適伴流場データベースを構築し、最適伴流場データベースを利用し船体の制約条件を考慮した上、船尾付加物、及びプロペラの少なくとも一つに適した伴流場を選定する場合には、最適伴流場データベースを利用し船体の制約条件に合わせて船尾付加物、及びプロペラの目標とする最適な伴流場を得ることができる。
【００３２】
また、船体の制約条件を考慮した船型を生成する場合には、船尾付加物、及びプロペラに適した伴流場を実現する船型を船体の制約条件を考慮したうえ生成できるので、船体、船尾付加物、及びプロペラの全体最適化をより精度よく行うことができる。
【００３３】
また、船体の制約条件を設定し、船型・伴流場データベースに基づいて制約条件に対する伴流場の統計的解析を行い、制約条件の下での伴流場統計データを得る場合には、船型情報が不明な場合や、伴流場の推定が行えない場合であっても、一定の制約条件下のどの船舶に対しても一般に最適な効果がある船尾付加物やプロペラの設計が可能となる。例えば、船体の詳細な設計情報が不明な既存船や流場解析が予算の関係で行なえない新造船等への伴流場の推定を通じた最適な船尾付加物やプロペラの設計が可能となる。
【００３４】
また、伴流場統計データを基に、制約条件の下での船尾付加物、及びプロペラの少なくとも一つの最適な設計を行う場合には、船型情報が不明な場合や、伴流場の推定が行えない場合であっても、伴流場統計データを基に、一定の制約条件下のどの船舶に対しても一般に最適な効果がある船尾付加物やプロペラを設計することができる。
【００３５】
また、船型・伴流場データベースにおける伴流場は、船型が変わっても流れの変化の少ない節を有した流場である場合には、節を有した流場を用いて、船体、船尾付加物、及びプロペラの全体最適化を行うことができる。例えば、流れの変化の少ない節に船尾付加物、及びプロペラを臨ませて、性能の向上を図ることができる。
【００３６】
また、本発明の伴流場設計システムによれば、船体（船型）と伴流場の対応付けが容易となり、船尾付加物とプロペラに適した船体を設計することができ、船体、船尾付加物、及びプロペラの全体最適化が実現する。
【００３７】
また、伴流場解析手段が、目標とする伴流場に近い船型データの選定を船型・伴流場データベース手段に基づいて行い、選定した船型データに従って、伴流場設計手段が、目標とする伴流場が得られる船型を生成する場合には、簡便に船尾付加物とプロペラに適した船型を設計することができる。
【００３８】
また、伴流場設計手段における伴流場の設計は、目標とする伴流場に近い複数の船型データを、平均化して目標とする伴流場が得られる船型を生成する場合には、より効率的に、また的確に船尾付加物とプロペラに適した船型を設計することができる。
【００３９】
また、伴流場設計手段における伴流場の設計は、目標とする伴流場が得られる船型を生成した後、船尾付加物、及びプロペラの少なくとも一つの設計を行う場合には、船型を生成した後、船尾付加物、及びプロペラの詳細設計を行なうことが可能となり、船体、船尾付加物、及びプロペラの全体最適化をより精度よく行うことができる。
【００４０】
また、本発明の伴流場を考慮した船舶によれば、船体、船尾付加物、及びプロペラの全体最適化を実現した船舶を提供することができる。
【００４１】
また、船尾付加物としてダクトを用い、伴流場の流れのダクトに対する流入角の変動幅を２５°以下にした場合には、伴流場を考慮してダクトによる省エネ効果をより一層高めることができる。
【００４２】
また、流入角を２５°以下とする範囲は、少なくともダクトの縦方向中心線の上部交点０°から９０°の範囲内とした場合には、伴流場として効果の大きな流入角の範囲にダクトを臨ませることができ、ダクトによる省エネ効果を効率的に高めることができる。
【００４３】
また、船尾付加物としてダクトを用い、伴流場に対応するダクトの開き角を−３°以上１４°以下とした場合には、伴流場として効果の大きな開き角の範囲にダクトを臨ませることができ、ダクトによる省エネ効果をより一層高めることができる。
【００４４】
また、プロペラは、プロペラ面に対する伴流場の流れの周方向分布の変動率を０．４以下に抑えた場合には、伴流場を考慮してプロペラ効率をより一層高めることができる。
【００４５】
また、伴流場の流れの周方向分布の変動率を０．４以下に抑える範囲は、プロペラの半径の６０％以上１００％以下の位置とした場合には、プロペラとして効果の大きい範囲の変動率を押さえられるため、効率的にプロペラ効率を高めることができる。
【００４６】
また、船体のＳ.Ｓ.２．０付近の船底部を肥大させ伴流場の改善を図った場合には、船尾縦渦を強め、その中心をプロペラ軸芯と同等の高さに下げることができ、伴流場の改善が図れる。
【図面の簡単な説明】
【００４７】
【図１】本発明の本実施形態による伴流場設計システムのブロック図
【図２】同船型データベースに格納されている船型例（S.S.1.0）を示す図
【図３】同船型データベースに格納されている船型例（船尾プロファイル）を示す図
【図４】同伴流場データベース（プロペラ面の伴流分布）の例を示す図
【図５】同２７３０個体の船型の全ての流場データについて軸方向の流速分布をプロペラ半径位置毎にまとめた図
【図６】同２７３０個体の船型全ての伴流場データのダクト翼断面への流入角の分布を示す図
【図７】同伴流場設計方法を示すフロー図
【図８】同目標とする伴流場の設計方法を示すフロー図
【図９】同設計した伴流分布を示す図
【図１０】同原型船と生成した船型の比較図（S.S.1.0）
【図１１】同原型船と生成した船型の比較図（船尾プロファイル）
【図１２】本発明の他の実施形態による伴流場設計方法を示すフロー図
【図１３】原船型を用いた水槽試験の様子を示す図
【図１４】生成した船型を用いた水槽試験の様子を示す図
【図１５】原型船の計測した伴流分布を示す図
【図１６】生成した船型（システム出力船型）の計測した伴流分布を示す図
【図１７】原船型におけるダクト翼断面への周方向流入角の分布を示す図
【図１８】生成した船型におけるダクト翼断面への周方向流入角の分布を示す図
【図１９】ダクト流入角αの説明図
【図２０】ダクト位置θの説明図
【図２１】生成した船型の省エネ効果を原船型と比較して示す図
【図２２】原船型の軸方向流速の流方向分布を示す図
【図２３】生成した船型の軸方向流速の流方向分布を示す図
【図２４】従来の船体、船尾付加物、及びプロペラの設計方法を示すフロー図
【図２５】先行研究で検討した伴流設計システムの概要図
【発明を実施するための形態】
【００４８】
船尾伴流の分布形状は、省エネ付加物の効果の向上、及びプロペラ効率の向上やキャビテーションの低減に深く関連する。例えば、ダクト型の省エネ付加物の省エネ効果は、ダクト翼断面へ流入する流れの角度（流入角）の周方向分布に強い影響を受ける。
本件発明者は、まず意図する伴流分布の設計を可能とする新しい船型設計手法（伴流設計システム）を先行して研究し、一個抜き交差検証により伴流設計システムの理論的な有効性を確認した。
この研究で検討した伴流設計システムの概要を図２５に示す。当該伴流設計システムは、従来の船型データベース解析例と異なり、船型を船型パラメータ（例えばＣpカーブの傾斜角等）で整理せず単にＩＤで管理するため、その自由度及び拡張性の高さに特徴を持つ。
これにより、他船種のデータも同居することが可能で、従来と異なり過去の設計遺産をデータベースに同居させて活用することができるようになった。また、船型をＩＤで管理するため、船型のパラメータ化による情報の欠落を回避できる。
また、この研究で検討した伴流設計システムでは、機械学習手法の1つであるｋ近傍法を基礎とした手法で伴流分布と船型のデータベース（船型・流場データベース）の解析を実施する。また、当該伴流設計システムでは機械学習の問題設定を比較的シンプルな解空間に落とし込むことができるため、ｋ近傍法よりも複雑な機械学習手法を適用する必要性が低く、簡便な手法で極めて有効なデータベースの解析が実施できることが分かった。
図２５の伴流場解析について述べる。目標とする入力伴流分布のデータと船型・流場データベースの伴流データから入力伴流とデータベース上の伴流との類似度（ユークリッド距離）を下式（１）で算定する。 
【数１】
2019200752.tif 000003
式（１）で得られたユークリッド距離を評価関数として、船型・流場データベースより類似伴流３つ特定し、類似伴流を持つ３船型を特定し、３船型をユークリッド距離（ｄ1,ｄ2，ｄ3）から下式（２）で算定する重み係数（αi）を用いて船型ブレンディングすることで、目標とする入力伴流分布を実現する船型形状を機械的に求める。
【数２】
2019200752.tif 000004
【００４９】
以下に、本研究で得られた本発明の実施形態による伴流場設計方法、伴流場設計システム、及び伴流場を考慮した船舶について説明する。
図１は、本実施形態による伴流場設計システムのブロック図である。
伴流場設計システムは、条件入力手段１０と、船型・伴流場データベース手段２０と、伴流場解析手段３０と、伴流場設計手段４０と、伴流場出力手段５０とを備える。
【００５０】
条件入力手段１０は、例えばキーボードやタッチパネル、マウス等であり、ユーザーは、船体、船尾付加物、及びプロペラの少なくとも一つに対する条件を、条件入力手段１０を用いて伴流場設計システムに入力する。
船型・伴流場データベース手段２０には、船型と伴流場をリンク（関連付け）させたデータが記憶されている。
【００５１】
本実施形態では、７４９総トンの一般貨物船を対象として、２７３０個体の船型・伴流場データベースを、船型・伴流場データベース手段２０に構築した。伴流場の推定は、国立研究開発法人海上・港湾・航空技術研究所  海上技術安全研究所（以下、「海技研」という）が開発したＲａＮＳソルバーＮＡＧＩＳＡを使用し、本件発明者らが開示した「一ノ瀬康雄，田原裕介，久米健一：総トン数に制限を有する内航船の船型データベースの構築とその評価−749総トン型一般貨物船を対象としたプロトタイプの開発−，日本船舶海洋工学会論文集，第26号，pp.51-62, 2017.」（参考文献１）と同様の計算条件で、両舷１８０万セルの構造格子により実施した。また、乱流モデルの適用にあたっては、ＥＡＳＭ ｋω、ＳＳＴ ｋω、Ｍｏｄｉｆｉｅｄ ＳＡの複数の乱流モデルを比較検討し、参考文献１の原船型（MS No.869）の水槽試験結果との比較及び計算のロバスト性を考慮した結果、Ｍｏｄｉｆｉｅｄ ＳＡ（Cvor=20）を、船型・伴流場データベースの作成に適用する。計算格子は、参考文献１と同等の格子を採用しており、計算格子の不確かさは参考文献１に準じて本発明に妥当な不確かさレベルを有している。
船型・伴流場データベース手段２０は、船型データと伴流場データを船型パラメータと伴流場データで整理せず単にＩＤで管理するため、その自由度及び拡張性の高さに特徴を持つ。また、データベースとしての解析に複雑な機械学習手法の適用も可能であるが、本研究で創出した簡便な手法がむしろ極めて有用であることが確認されている。
船型・伴流場データベース手段２０は、船体（船型）と伴流場の対応付けが容易となるため、船体、船尾付加物、及びプロペラの全体最適化が実現できることをはじめ、既存船を含めた船体の伴流場の解析、船尾付加物やプロペラに適した流場解析のための２次的な最適流場データベースの構築など、様々に利用が可能となる。
図２は、船型データベースに格納されている船型例（S.S.1.0）を示す図、図３は、船型データベースに格納されている船型例（船尾プロファイル）を示す図である。
船型データベースは、原船型と実用上同一の排水量を持ち、図２及び図３の船型例に示すとおり、船尾フレームライン、船尾プロファイル、船尾横切面積曲線（以下Ｃpカーブ）の所謂肩張り、肩落ち傾向の異なる船型形状を有する２７３０の船型群である。なお、本船型データベースは同一の主要目を有することから、同じプロペラ直径及び設置位置のプロペラを想定している。
【００５２】
図４は、伴流場データベース（プロペラ面の伴流分布）の例を示す図であり、図４（ａ）はID030001の船型の場合、図４（ｂ）はID030003の船型の場合、図４（ｃ）はID030005の船型の場合、図４（ｄ）はID030006の場合である。図４に示すとおり、構築した船型・伴流場データベースは，特に船尾縦渦の強弱を中心に非常に変化に富むデータベースである。
図５は、２７３０個体の船型の全ての流場データについて軸方向の流速分布をプロペラ半径位置毎にまとめた図であり、図５（ａ）はＲ＝０．７Ｒの場合、図５（ｂ）はＲ＝１．０Ｒの場合である。
ここで、図５の横軸は、プロペラＴＯＰ位置を０とする周方向位置であり、ｒ＝０．７Ｒは７０％プロペラ半径位置でのグラフであることを示す。図５から２７３０個体の船型の軸方向の流速分布には、７０°位置付近を節として変化することが分かる。この軸方向の流速分布が節をもって変動するのは、今回の船型データベースは実設計における船型変更と比較し変更範囲が大きく変化に富んでおり、また船尾縦渦の中心位置は船底からの上昇流の影響で、一般にプロペラ軸上方のみに位置することから推論すると、排水量一定の一軸スケグ船型一般に適用できる現象と推定される。
船型・伴流場データベースにおける伴流場が、船型が変わっても流れの変化の少ない節を有した流場であることにより、節を有した流場を用いて、船体、船尾付加物、及びプロペラの全体最適化を行うことができる。節の存在は、２７３０個体の船型の全ての伴流場データについて解析した結果、判明した新しい知見であり、例えば、流れの変化の少ない節に船尾付加物、及びプロペラを臨ませて、性能の向上を図ることが期待できる。
【００５３】
ダクト型の省エネ付加物の省エネ効果は、ダクト翼断面へ流入する流れの角度（流入角）の周方向分布に強い影響を受ける。そのため、船型により周方向の流入角を改善できれば、付加物の省エネ効果が改善しトータルの燃費削減に寄与する。工作上の観点から周方向で同じ開き角を持つダクトでは、適切な開き角の設定により、０°から８０°位置までのダクト翼断面への流入角が一定であるほど、高い省エネ効果が得られることが分かっている。ダクト翼断面への流入角が一定に近い船型は、本実施形態の伴流場設計システムにより機械的に得られる。
図６は、２７３０個体の船型全ての伴流場データのダクト翼断面への流入角の分布を示す図である。図６においても２０°位置付近及び ９０°位置付近に節が確認できる。２０°位置付近の節は前述の船尾縦渦の位置の影響により形成されるものと考えられる。一方、９０°位置は流入角の評価軸が船体横流れ方向と一致するため、９０°位置付近の節は排水量一定の一軸スケグ船型の直進状態の流場では強い横流れが形成されないことが要因であると考えられる。このように流入角についても節が存在することが新しい知見として得られ、例えば、流れの変化の少ない節に船尾付加物、及びプロペラを臨ませて、性能の向上を図ることが期待できる。
【００５４】
従来のデータベースは、船型と最終結果である馬力や、抵抗自航要素である積分値を対象としていたが、本発明の船型・伴流場データベースは船型と積分値の中間にあり、物理的な知見を含む伴流場と船型をリンクさせた新しいデータベースである。
【００５５】
伴流場解析手段３０は、ユーザーが条件入力手段１０を用いて入力した船体、船尾付加物、及びプロペラに関する少なくとも一つの条件に対して、船型・伴流場データベース手段２０に予め構築されているデータベースに基づいて伴流場を解析する。
伴流場設計手段４０は、伴流場解析手段３０による伴流場の解析結果に基づいて、伴流場の設計を行う。
伴流場出力手段５０は、伴流場設計手段４０による伴流場の設計結果を、画面や紙等に出力する。
【００５６】
また、伴流場解析手段３０は、目標とする伴流場に近い船型データの選定を、船型・伴流場データベース手段２０に構築されているデータベースに基づいて行う。
伴流場設計手段４０は、伴流場解析手段３０が選定した船型データに従って、目標とする伴流場が得られる船型を生成する。
このように、伴流場の設計は、目標とする伴流場に近い船型データの選定を船型・伴流場データベースに基づいて行い、目標とする伴流場が得られる船型を生成することによって、簡便に船尾付加物とプロペラに適した船型を設計することができる。
【００５７】
また、伴流場設計手段４０における伴流場の設計は、目標とする伴流場に近い複数の船型データを、平均化して目標とする伴流場が得られる船型を生成する。
このように、目標とする伴流場に近い船型データを複数選定し、平均化して目標とする伴流場が得られる船型を生成することによって、より効率的に、また的確に船尾付加物とプロペラに適した船型を設計することができる。
【００５８】
また、伴流場設計手段４０における伴流場の設計は、目標とする伴流場が得られる船型を生成した後、船尾付加物、及びプロペラの少なくとも一つの設計を行う。
このように、目標とする伴流場を得られる船型を生成した後、船尾付加物、及びプロペラの少なくとも一つの設計を行うことによって、船型を生成した後、船尾付加物、及びプロペラの詳細設計を行なうことが可能となり、船体、船尾付加物、及びプロペラの全体最適化をより精度よく行うことができる。
【００５９】
目標とする伴流場が得られる船型の生成には、前述した船型ブレンディングを利用した伴流設計システムを用いることができる。この伴流設計システムは、目標とする伴流場とデータベース内の伴流場データとの類似度を「ユークリッド距離」で評価することにも特徴をもつ。伴流場は、通常３６０点の３速度成分で表される１０８０次元のデータのため、その類似度を低次元で効率的にパラメータ化することは、一般的に極めて困難である。しかし、「ユークリッド距離」によるパラメータ化は、低次元で伴流場及び船型の類似度を評価できる、極めて効率的なパラメータ化である。これにより、データベースの解析における大幅な計算コストの削減が可能となる。
さらに、選定した複数の船型を、「ユークリッド距離」の重みで船型ブレンディング（平均化）することで、船型・伴流場データベースにはない新しい船型データを作り出すことができる。これにより、単なるデータベース上のデータの取り出しではなく、希望する伴流と全く同じ伴流を誘起する船型を得ることができる。
【００６０】
図７は、本実施形態による伴流場設計方法を示すフロー図である。
まず、選定した船尾付加物及びプロペラに適した目標とする伴流場の設計を行う（Ｓ１：ステップ１）。
ステップ１の後、予め構築した船型・伴流場データベースに基づいて、目標とする伴流場に近い船型データを複数選定する（Ｓ２：ステップ２）。
ステップ２の後、選定した複数の船型データを平均化（ブレンディング）して目標とする伴流場が得られる船型を生成する（Ｓ３：ステップ３）
その後、ステップ３で生成した船型の微修正を行う（Ｓ４：ステップ４）。
ステップ４の後、ステップ１で選定した船尾付加物とプロペラについて、微修正や、船体への取付角度等を決定するための設計を行う（Ｓ５：ステップ５）。
ステップ５の後、船舶に対する船体、船尾付加物、及びプロペラによる全体最適化が目標性能を満たすか否かを解析又は試験により確認する（Ｓ６：ステップ６）
ステップ６において目標性能を満たすと判断した場合は、設計した船型、船尾付加物、及びプロペラの結果を出力する（Ｓ７：ステップ７）。
一方、ステップ６において目標性能を満たさないと判断した場合は、ステップ４に戻り、船型の微修正を行う。
【００６１】
図８は、目標とする伴流場の設計方法を示すフロー図である。
まず、船尾付加物及びプロペラに関するデータと、予め構築した船型・伴流場データベースに基づいて、船尾付加物、及びプロペラに適した流場の解析を行い、船尾付加物、及びプロペラの少なくとも一つに適した最適伴流場データベースを先ず構築する（Ｓ１１：ステップ１１）。
ステップ１１の後、予め構築した最適伴流場データベースに船体の制約条件を適用し、船尾付加物、及びプロペラに適した目標とする伴流場を選定する（Ｓ１２：ステップ１２）。船体の制約条件とは、船種や、船体の長さ、幅、又は喫水といった主要目等である。
このように、船型・伴流場データベースに基づいて、船尾付加物、及びプロペラの少なくとも一つに適した最適伴流場データベースを構築し、最適伴流場データベースを利用し船体の制約条件を考慮した上、船尾付加物、及びプロペラの少なくとも一つに適した伴流場を選定することによって、最適伴流場データベースを利用し船体の制約条件に合わせて船尾付加物、及びプロペラの目標とする最適な伴流場を得ることができる。
また、船体の制約条件を考慮した船型を生成することによって、船尾付加物、及びプロペラに適した伴流場を実現する船型を船体の制約条件を考慮したうえ生成できるので、船体、船尾付加物、及びプロペラの全体最適化をより精度よく行うことができる。
【００６２】
本実施形態では、ダクト翼断面への周方向流入角の改善による付加物の省エネ効果向上と、軸方向伴流の周方向の変動低減によるキャビテーション低減を目的として、目標とする伴流場を設計した。
この２つの目的を達成するため、伴流場データベースよりダクト最良流場（０°から８０°位置の設計範囲において流入角の周方向変動の分散が最も小さいデータ）とキャビ最良流場（０．７Ｒにおいて軸方向流速の最大値と最小値の差が最も小さいデータ）の２つを選定し、この２つの伴流場をブレンディング（平均化）することにより、目標とする伴流場を設計した。図９は、設計した伴流分布を示す図である。図９において数値は船速で無次元化されており、Ｕ＝１．０を船速としている。ダクト翼断面への周方向流入角を改善するために、船尾縦渦の中心がプロペラ軸芯と同等の高さとなっている。
【００６３】
また、本実施形態では、設計した目標とする伴流場を入力として、目標とする伴流場が得られる船型を生成した。なお、生成した船型（システム出力船型）は、設計した伴流場と類似度（式（１）のユークリッド距離）の近い３つの船型を船型ブレンディングして新たに生成した船型・伴流場データベースにはない船型であり、原船型と生成した船型の排水量の差は０．０２％である。
図１０は、原型船と生成した船型の比較図（S.S.1.0）、図１１は、原型船と生成した船型の比較図（船尾プロファイル）である。船尾縦渦の中心をプロペラ軸芯と同等の高さに下げるためには、船尾の剥離線を船尾側に移動させるため、船尾後方に排水量を持たせる所謂肩落ちのＣpカーブの船型が生成されることを当初は予想していた。しかし、生成した船型はＳ．Ｓ．１．０における断面積の小さい所謂肩張りのＣpカーブを持つ船型であった。
この理由は、図１０及び図１１に示す原型船と生成した船型の船体表面圧力分布及び限界流線から説明できる。すなわち、船体のＳ．Ｓ．２．０付近の船底部を肥大させ伴流場の改善を図ることで、ここに出来る負圧領域を強めることにより、強い逆圧力勾配の流線を作ることで船尾縦渦を強め、その中心をプロペラ軸芯と同等の高さに下げることができ、伴流場の改善が図れる。
なお、「Ｓ．Ｓ．□」は、垂線間長（船長）Ｌ．Ｐ．Ｐ．全体を１０としたときの船尾垂線Ａ．Ｐ．からの位置を示す。すなわち、「Ｓ．Ｓ．１．０」は、船尾垂線Ａ．Ｐ．から垂線間長Ｌ．Ｐ．Ｐ．の１０％前方の位置であり、「Ｓ．Ｓ．２．０」は、船尾垂線Ａ．Ｐ．から垂線間長Ｌ．Ｐ．Ｐ．の２０％前方の位置である。
【００６４】
本実施形態の伴流場設計方法を用いた伴流場を考慮した船舶であって、伴流場の設計を行った船尾付加物、及びプロペラの少なくとも一つを装備した船舶とすることにより、船体、船尾付加物、及びプロペラの全体最適化を実現した船舶を提供することができる。
【００６５】
図１２は、本発明の他の実施形態による伴流場設計方法を示すフロー図である。
本実施形態による伴流場設計方法は、船体又は流場情報が不明な場合における最適な船尾付加物、及びプロペラの設計方法である。船尾付加物を既存の船舶にレトロフィットするときには、船型情報が分からない場合が多い。また、新造船等においても予算の制約で流場推定が行えない場合が多々ある。このような場合に本実施形態による伴流場設計方法を用いることで、船型・伴流場データベースに基づく統計解析結果から、一定の制約条件下のどの船舶に対しても一般に最適な効果がある船尾付加物やプロペラを設計することができる。
まず、船体の制約条件を決定する（Ｓ２１：ステップ２１）。
ステップ２１の後、予め構築した船型・伴流場データベースに基づいて、決定した船体の制約条件に対する伴流場の統計解析を行い、制約条件の下での伴流場統計データを得る（Ｓ２２：ステップ２２）。
ステップ２２の後、伴流場統計データを基に、制約条件の下での船尾付加物、及びプロペラの少なくとも一つの最適な設計を行う（Ｓ２３：ステップ２３）。
これにより、船型情報が不明な場合や、伴流場の推定が行えない場合であっても、伴流場統計データを基に、一定の制約条件下のどの船舶に対しても一般に最適な効果がある船尾付加物やプロペラを設計することができる。例えば、船体の詳細な設計情報が不明な既存船や流場解析が予算の関係で行なえない新造船等への伴流場の推定を通じた最適な船尾付加物やプロペラの設計が可能となる。
【００６６】
船尾付加物としてダクトを用いる場合は、どの船舶に対しても最適な効果があるダクトは、ダクト流入角の設計範囲が５°以上２０°以下の範囲とすることが好ましく、１２°以上１８°以下の範囲とすることがより好ましく、１４°以上１８°以下の範囲とすることが最も好ましい。
また、ダクトの翼の迎角は、６°から８°程度が良いため、伴流場に対応するダクトの開き角を−３°以上１４°以下とすることが好ましく、４°以上１２°以下とすることがより好ましく、６°以上１２°以下とすることが最も好ましい。これにより、伴流場として効果の大きな開き角の範囲にダクトを臨ませることができ、ダクトによる省エネ効果をより一層高めることができる。
【００６７】
以上のように、船体、船尾付加物、及びプロペラの少なくとも一つに対する伴流場を、予め構築した船型と伴流場をリンクさせた船型・伴流場データベースに基づいて解析し、船尾付加物、及びプロペラの少なくとも一つに適した伴流場の設計を行うことにより、船体（船型）と伴流場の対応付けが容易となり、船尾付加物とプロペラに適した船体を設計することができ、船体、船尾付加物、及びプロペラの全体最適化が実現する。
【実施例】
【００６８】
本発明による伴流設計システムの有効性を検証するため、原船型（MS No.869）と生成した船型（MS No.875）の船長６．８ｍの大型模型船を製作し、海技研の４００ｍ水槽において、伴流計測及び推進性能確認試験を実施した。図１３は、原船型を用いた水槽試験の様子を示す図、図１４は、生成した船型を用いた水槽試験の様子を示す図である。
【００６９】
図１５は、原型船の計測した伴流分布を示す図であり、図１６は、生成した船型（システム出力船型）の計測した伴流分布を示す図である。想定通り生成した船型の船尾縦渦の中心は原型船と比較しプロペラ軸芯と同等の高さまで下がっている。
図１７は、原船型におけるダクト翼断面への周方向流入角の分布を示す図、図１８は、生成した船型におけるダクト翼断面への周方向流入角の分布を示す図、図１９は、ダクト流入角αの説明図、図２０は、ダクト位置θの説明図、図２１は、生成した船型の省エネ効果を原船型と比較して示す図である。
図１７及び図１８には、ダクト翼断面への周方向流入角の分布をそれぞれ計算結果と比較して示している。設計目的通り、生成した船型では、原船型と比較し０°から８０°位置の設計範囲において流入角の周方向変動が小さい。その結果、表１及び図２１に示す通り、原型船で１．９％であったダクトの馬力削減効果（Energy savings）は、生成した船型では４．１％（表１中1.0-678/708で算定）となり、設計意図通りダクトの省エネ効果の向上が達成された。さらに、生成した船型は、ダクト非搭載の裸こく状態で、原船型より０．４％同一船速での必要馬力が大きいが、ダクトの省エネ効果の改善により、同一開き角を持つＤｕｃｔ  ６ｄｅｇを搭載した状態で比較して１．９％、生成した船型の伴流分布のために設計したＤｕｃｔ  ８ｄｅｇを搭載した状態で２．２％の馬力削減を確認し、設計目的としていた船型と付加物を組み合わせたトータルでの馬力削減を達成した。これらの設計結果から、本発明の有効性を確認した。
【表１】
2019200752.tif 000005
【００７０】
このように、船体が誘起するダクトへの流入角の周方向の変動を改善することができる。これにより、工作性の問題で、一般に開き角を周方向一定としているダクトでは、周方向で安定した推力が得られるため省エネ効果が高くなる。
伴流場の流れのダクトに対する流入角の変動幅は、２５°以下とすることが好ましく、２０°以下とすることがより好ましく、１５°以下とすることが最も好ましい。これにより、伴流場を考慮してダクトによる省エネ効果をより一層高めることができる。
また、流入角を２５°以下とする範囲は、少なくともダクトの縦方向中心線の上部交点０°以上９０°以下の範囲内とすることが好ましく、０°以上８０°以下の範囲内とすることがより好ましく、１０°以上８０°以下の範囲内とすることが最も好ましい。これにより、伴流場として効果の大きな流入角の範囲にダクトを臨ませることができ、ダクトによる省エネ効果を効率的に高めることができる。
【００７１】
次に、キャビテーションの低減を目的とした軸方向伴流の周方向の変動低減について述べる。図２２は、原船型の軸方向流速の流方向分布を示す図であり、図２３は、生成した船型の軸方向流速の流方向分布を示す図である。
図２２及び図２３には、原船型と生成した船型の軸方向流速の流方向分布をそれぞれ計算結果と比較して示している。意図していた０．７Ｒにおける軸方向流速の最大値と最小値の差の最小化が計算上実現している。しかし、水槽試験結果では意図した０°から２０°の流速の増加、１２０°付近の減速が同傾向であるものの計算の想定よりも大きく変化し、水槽試験結果では意図した結果が得られなかった。ただし、これはキャビテーション低減を目的とするプロペラ設計に適用するためには、流場データベースを構築するＣＦＤ計算を格子数等より精度の高い条件で実施する必要があること示しており、伴流場設計システムの構造的な問題ではなく、容易に解決できる。
【００７２】
このように、プロペラのキャビテーションを低減することができる。キャビテーションを低減することで、騒音・振動問題が解決する。また、キャビテーションを低減することで、プロペラ展開面積比の許容範囲をより小さくすることができるため、プロペラ効率の向上に寄与する。
プロペラ面に対する伴流場の流れの周方向分布の変動率は、０．４以下に抑えることが好ましく、０．３以下に抑えることがより好ましく、０．２以下に抑えることが最も好ましい。これにより、伴流場を考慮してプロペラ効率をより一層高めることができる。
また、伴流場の流れの周方向分布の変動率を０．４以下に抑える範囲は、プロペラの半径の６０％以上１００％以下の位置とすることが好ましく、７０％以上９０％以下の位置とすることがより好ましく、７０％以上８０％以下とすることが最も好ましい。これにより、プロペラとして効果の大きい範囲の変動率を押さえられるため、効率的にプロペラ効率を高めることができる。
【００７３】
以上のように、本発明は、意図する伴流場の設計を可能とする伴流場設計方法又は伴流場設計システムを用いて、ダクト型省エネ付加物等船尾付加物の省エネ効果向上及びキャビテーション低減に資する伴流分布を改善することができる。
船尾付加物の省エネ効果の改善により、船型と船尾付加物のトータルの馬力削減が達成される。
なお、船尾付加物には、ダクトの他、舵に設けたフィンやバルブ、プロペラの前方に設けたフィン、捩じり舵など、省エネに寄与する機器一切を含むものとする。
【産業上の利用可能性】
【００７４】
本発明によれば、船体（船型）と伴流場の対応付けが容易となり、船尾付加物とプロペラに適した船体を設計することができ、船体、船尾付加物、及びプロペラの全体最適化が実現する。
また、本発明は、職人知の見える化を実現し、従来のＣＦＤと最適化手法を組み合わせた船型設計手法に対して、伴流場を理解しながら船型の設計を可能とするという優位性を有し、船型設計者の意思決定に役立てることができる。
【符号の説明】
【００７５】
１０  条件入力手段
２０  船型・伴流場データベース手段
３０  伴流場解析手段
４０  伴流場設計手段
５０  伴流場出力手段
【図１】
2019200752.tif 000006
【図２】
2019200752.tif 000007
【図３】
2019200752.tif 000008
【図４】
2019200752.tif 000009
【図５】
2019200752.tif 000010
【図６】
2019200752.tif 000011
【図７】
2019200752.tif 000012
【図８】
2019200752.tif 000013
【図９】
2019200752.tif 000014
【図１０】
2019200752.tif 000015
【図１１】
2019200752.tif 000016
【図１２】
2019200752.tif 000017
【図１３】
2019200752.tif 000018
【図１４】
2019200752.tif 000019
【図１５】
2019200752.tif 000020
【図１６】
2019200752.tif 000021
【図１７】
2019200752.tif 000022
【図１８】
2019200752.tif 000023
【図１９】
2019200752.tif 000024
【図２０】
2019200752.tif 000025
【図２１】
2019200752.tif 000026
【図２２】
2019200752.tif 000027
【図２３】
2019200752.tif 000028
【図２４】
2019200752.tif 000029
【図２５】
2019200752.tif 000030